(57)【要約】【課題】例えばカーテンウォールの屋内側部分を構成するパネルとして用いたときに、カーテンウォールの屋外側部分を構成するパネルに結露が生じにくく、製造しやすいパネルユニットを提供する。【解決手段】パネルユニット３は、金属外皮６，７と断熱材８を有するサンドイッチパネルからなる複数の断熱パネル２を備える。金属外皮６は、断熱材８の屋外側の面に取り付けられる本体部６０と、本体部６０の上下の縁から屋内側に延びる上片部６１，下片部６２を有する。金属外皮７は、断熱材８の屋内側の面に取り付けられる本体部７０と、本体部７０の上下の縁から屋外側に延びる上片部７１，下片部７２を有する。上側の断熱パネル２の下片部６２と下側の断熱パネル２の上片部６１が当たった状態で、上側の断熱パネル２の第二下片部７２と下側の断熱パネル２の第二上片部７１の間に隙間９が形成されるように構成されている。【選択図】図２
2018087425.tif 000002
【特許請求の範囲】
【請求項１】
上下に並んだ複数の断熱パネルを備え、
前記複数の断熱パネルのそれぞれは、第一金属外皮と、前記第一金属外皮よりも屋内側に位置する第二金属外皮と、前記第一金属外皮と前記第二金属外皮の間に位置する断熱材とを有するサンドイッチパネルであり、
前記第一金属外皮は、前記断熱材の屋外側の面に取り付けられる第一本体部と、前記第一本体部の上縁から屋内側に延びる第一上片部と、前記第一本体部の下縁から屋内側に延びる第一下片部と、を有し、
前記第二金属外皮は、前記断熱材の屋内側の面に取り付けられる第二本体部と、前記第二本体部の上縁から屋外側に延びる第二上片部と、前記第二本体部の下縁から屋外側に延びる第二下片部とを有し、
前記複数の断熱パネルのうち、上下に隣接する２つの断熱パネルは、
上側の断熱パネルの前記第一下片部と、下側の断熱パネルの前記第一上片部とが当たった状態で、前記上側の断熱パネルの前記第二下片部と、前記下側の断熱パネルの前記第二上片部との間に隙間が形成されるように構成されていることを特徴とするパネルユニット。
【請求項２】
前記上側の断熱パネルの前記第二本体部と、前記下側の断熱パネルの前記第二本体部とに亘るように取り付けられる当て板をさらに備え、
前記当て板は、前記隙間を塞ぐことを特徴とする請求項１に記載のパネルユニット。
【請求項３】
請求項１または２に記載のパネルユニットと、
前記パネルユニットの屋外側に位置する化粧パネルと、
前記パネルユニットと前記化粧パネルを保持する枠とを備えることを特徴とするカーテンウォール。
【発明の詳細な説明】
【技術分野】
【０００１】
本発明は、パネルユニット、及びこれを備えたカーテンウォールに関する。
【背景技術】
【０００２】
特許文献１には、格子枠内に、窓ガラスと耐火ボードを、この順に屋外側から並ぶように配置したカーテンウォールが記載されている。耐火ボードは、繊維混入けい酸カルシウム板等で形成されている。
【先行技術文献】
【特許文献】
【０００３】
【特許文献１】特開２０１１−１９０６１４号公報
【発明の概要】
【発明が解決しようとする課題】
【０００４】
上記の従来のカーテンウォールでは、耐火ボードが繊維混入けい酸カルシウム板等で形成されているため、湿気が耐火ボードを通過しやすい。そのため、上記の従来のカーテンウォールでは、屋内の湿気が耐火ボードを通過して、窓ガラスに結露が生じやすいという問題があった。
【０００５】
上記事情に鑑みて、本発明は、例えばカーテンウォールの屋内側部分を構成するパネルとして用いたときに、カーテンウォールの屋外側部分を構成するパネルに結露が生じにくく、かつ製造のしやすいパネルユニット、及びこれを備えたカーテンウォールを提供することを、目的とする。
【課題を解決するための手段】
【０００６】
本発明に係る一態様のパネルユニットは、上下に並んだ複数の断熱パネルを備える。
【０００７】
前記複数の断熱パネルのそれぞれは、第一金属外皮と、前記第一金属外皮よりも屋内側に位置する第二金属外皮と、前記第一金属外皮と前記第二金属外皮の間に位置する断熱材とを有するサンドイッチパネルである。
【０００８】
前記第一金属外皮は、前記断熱材の屋外側の面に取り付けられる第一本体部と、前記第一本体部の上縁から屋内側に延びる第一上片部と、前記第一本体部の下縁から屋内側に延びる第一下片部と、を有する。
【０００９】
前記第二金属外皮は、前記断熱材の屋内側の面に取り付けられる第二本体部と、前記第二本体部の上縁から屋外側に延びる第二上片部と、前記第二本体部の下縁から屋外側に延びる第二下片部とを有する。
【００１０】
前記複数の断熱パネルのうち、上下に隣接する２つの断熱パネルは、上側の断熱パネルの前記第一下片部と、下側の断熱パネルの前記第一上片部とが当たった状態で、前記上側の断熱パネルの前記第二下片部と、前記下側の断熱パネルの前記第二上片部との間に隙間が形成されるように構成されている。
【００１１】
本発明に係る一態様のカーテンウォールは、前記パネルユニットと、前記パネルユニットの屋外側に位置する化粧パネルと、前記パネルユニットと前記化粧パネルを保持する枠とを備える。
【発明の効果】
【００１２】
本発明では、例えばカーテンウォールの屋内側部分を構成するパネルとして用いたときに、カーテンウォールの屋外側部分を構成するパネルに結露が生じにくく、かつ製造のしやすいパネルユニット、及びこれを備えたカーテンウォールを提供することができる。
【図面の簡単な説明】
【００１３】
【図１】図１は、本発明に係る実施形態１のパネルユニットを示す斜視図である。
【図２】図２Ａは、図１のＡ−Ａ線における断面図であり、図２Ｂは、図２ＡのＢ部分の拡大図であり、図２Ｃは、図１のＣ−Ｃ線における断面図である。
【図３】図３は、同上のパネルユニットを備えたカーテンウォールの取付構造の一例を示す側断面図である。
【図４】図４は、同上のカーテンウォールの取付構造を示す平断面図である。
【図５】図５Ａは、同上のカーテンウォールが設置された建物の一例を示す正面図であり、図５Ｂは、図５ＡのＤ−Ｄ線における断面図である。
【発明を実施するための形態】
【００１４】
（パネルユニット）
図１及び図２Ａ〜Ｃには、本発明に係る実施形態１のパネルユニット３が示されている。パネルユニット３は、例えば、図３に示すように、カーテンウォール１の一部を構成するパネルとして用いられる。カーテンウォール１は、ビル等の建物の外壁のうち、窓以外の部分を構成する壁として用いられる。
【００１５】
以下では、図３に示すカーテンウォール１が建物の躯体１０に取り付けられた状態を基準とし、躯体１０に対してカーテンウォール１が位置する側を屋外側とし、その反対側を屋内側とし、平面視において屋外側及び屋内側に対して直交する方向を左右方向として、各構成について説明する。各図において、矢印Ｘで示す方向が屋外側であり、矢印Ｙで示す方向が右側であり、矢印Ｚで示す方向が上側である。
【００１６】
まず、パネルユニット３を構成する各部材について詳しく説明する。
【００１７】
パネルユニット３は、図１及び図２Ａ〜Ｃに示すように、上下に並んだ複数（本実施形態では３つ）の断熱パネル２を備える。複数の断熱パネル２は、互いに同じ構造である。
【００１８】
複数の断熱パネル２のそれぞれは、第一金属外皮６と、第一金属外皮６よりも屋内側に位置する第二金属外皮７と、第一金属外皮６と第二金属外皮７の間に位置する断熱材８とを有するサンドイッチパネルである。
【００１９】
金属外皮６，７は、金属板をロール成形などで加工することによって設けられる。金属板としては、亜鉛めっき鋼板、ガルバリウム鋼板（登録商標）、エスジーエル(登録商標)鋼板、塗装鋼板などが用いられる。金属外皮６，７の板厚は、互いに同じであり、例えば、０．３〜１．５ｍｍである。
【００２０】
第一金属外皮６は、屋内側に向けて開口した矩形の箱型である。詳しくは、第一金属外皮６は、断熱材８の屋外側の面に取り付けられる第一本体部６０と、第一本体部６０の上縁から屋内側に延びる第一上片部６１と、第一本体部６０の下縁から屋内側に延びる第一下片部６２を有する。第一金属外皮６はさらに、第一本体部６０の左右の縁のそれぞれから屋内側に延びる第一側片部６３を有する。第一本体部６０に対して、第一上片部６１、第一下片部６２、及び一対の第一側片部６３のそれぞれは、略直角である。
【００２１】
第二金属外皮７は、屋外側に向けて開口した矩形の箱型である。詳しくは、第二金属外皮７は、断熱材８の屋内側の面に取り付けられる第二本体部７０と、第二本体部７０の上縁から屋外側に延びる第二上片部７１と、第二本体部７０の下縁から屋外側に延びる第二下片部７２を有する。第二金属外皮７はさらに、第二本体部７０の左右の縁のそれぞれから屋外側に延びる第二側片部７３を有する。第二本体部７０に対して、第二上片部７１、第二下片部７２、及び一対の第二側片部７３のそれぞれは、略直角である。
【００２２】
図２Ｂに示すように、複数の断熱パネル２のうち、上下に隣接する２つの断熱パネル２は、上側の断熱パネル２の第一下片部６２と、下側の断熱パネル２の第一上片部６１とが当たった状態で、上側の断熱パネル２の第二下片部７２と、下側の断熱パネル２の第二上片部７１との間に隙間９が形成されるように構成されている。
【００２３】
本実施形態では、各断熱パネル２は、第一金属外皮６の第一上片部６１の上面と第一下片部６２の下面の間の上下方向の距離Ｌ１が、第二金属外皮７の第二上片部７１の上面と第二下片部７２の下面の間の上下方向の距離Ｌ２よりも長い。距離Ｌ１と距離Ｌ２の差は、例えば、３．０ｍｍである。
【００２４】
各断熱パネル２では、第一金属外皮６の第一上片部６１の上面と第二金属外皮７の第二上片部７１の上面の間の上下方向の距離Ｌ３と、第一金属外皮６の第一下片部６２の下面と第二金属外皮７の第二下片部７２の下面の間の上下方向の距離Ｌ４が、互いに同じ長さである。第一上片部６１の上面は、第二上片部７１の上面よりも上方に位置し、第一下片部６２の下面は、第二下片部７２の下面よりも下方に位置する。なお、距離Ｌ３，Ｌ４は、互いに異なってもよい。
【００２５】
本実施形態では、第一金属外皮６は、第一本体部６０の上下方向及び左右方向の中心が、断熱材８の屋外側面の上下方向及び左右方向の中心に重なるように、断熱材８に取り付けられている。第二金属外皮７は、第二本体部７０の上下方向及び左右方向の中心が、断熱材８の屋内側面の上下方向及び左右方向の中心に重なるように、断熱材８に取り付けられている。
【００２６】
図２Ｃに示すように、各断熱パネル２では、右側の第一側片部６３と右側の第二側片部７３とは、左右位置が互いに同じであり、左側の第一側片部６３と左側の第二側片部７３とは、左右位置が互いに同じである。
【００２７】
断熱材８は、全体形状が矩形板状である。本実施形態では、断熱材８は、ロックウール、グラスウールなどの繊維状無機材をバインダー等で固めて形成したブロック体を、複数並べて１枚の板状に配置したものである。断熱材８の上下長さは、第二金属外皮７の第二本体部７０の上下長さと同じか、それよりも若干短い。
【００２８】
断熱材８の屋外側を向く面に、接着剤を介して第一金属外皮６の第一本体部６０が取り付けられ、断熱材８の屋内側を向く面に、接着剤を介して第二金属外皮７の第二本体部７０が取り付けられている。
【００２９】
パネルユニット３では、一番上の断熱パネル２の第一下片部６２と、上から二番目の断熱パネル２の第一上片部６１とが当たり、一番上の断熱パネル２の第二下片部７２と、上から二番目の断熱パネル２の第二上片部７１との間に隙間９が形成されている。また、パネルユニット３では、上から二番目の断熱パネル２の第一下片部６２と、一番下の断熱パネル２の第一上片部６１とが当たり、上から二番目の断熱パネル２の第二下片部７２と、一番下の断熱パネル２の第二上片部７１との間に隙間９が形成されている。
【００３０】
パネルユニット３は、上側の断熱パネル２の第二本体部７０と、下側の断熱パネル２の第二本体部７０とに亘るように取り付けられる当て板１３をさらに備える。当て板１３は、隙間９を塞ぐための部材である。本実施形態では、パネルユニット３は、２つの当て板１３を備える。２つの当て板１３は、形状及び寸法が互いに同じである。
【００３１】
当て板１３は、金属板をロール成形などで加工することによって設けられる。金属板としては、亜鉛めっき鋼板、ガルバリウム鋼板（登録商標）、エスジーエル(登録商標)鋼板、塗装鋼板などが用いられる。当て板１３の板厚は、例えば、０．８ｍｍである。
【００３２】
当て板１３は、全体形状が略矩形であり、当て板１３の左右長さは、断熱パネル２の左右長さよりも若干短い。当て板１３は、矩形板状の本体部１３０と、本体部１３０の上縁から本体部１３０の上半部の屋外側の面に沿うように折り返された上折り返し片１３１と、本体部１３０の下縁から本体部１３０の下半部の屋外側の面に沿うように折り返された下折り返し片１３２とを有する。上折り返し片１３１の下端と、下折り返し片１３２の上端とは、上下方向に離れている。
【００３３】
当て板１３は、本体部１３０と上折り返し片１３１が重なった部分が、ビス等の固定具１５で、上側の断熱パネル２の第二本体部７０の下端部及びその屋外側の断熱材８に固定される。ここで、当て板１３は、上側の断熱パネル２の第二本体部７０のうち左右両端部を除いた残りの部分に左右方向に亘って固定される。
【００３４】
また、当て板１３は、本体部１３０と下折り返す片１３１が重なった部分が、ビス等の固定具１５で、下側の断熱パネル２の第二本体部７０の上端部及びその屋外側の断熱材８に固定される。ここで、当て板１３は、下側の断熱パネル２の第二本体部７０のうち左右両端部を除いた残りの部分に左右方向に亘って固定される。当て板１３は、上下に並ぶ２つの断熱パネル２を連結する。
【００３５】
パネルユニット３はさらに、上側の断熱パネル２の第二本体部７０と、下側の断熱パネル２の第二本体部７０とに亘るように配される板状のシール部材１４を備える。シール部材１４の左右長さは、当て板１３の左右長さと略同じである。シール部材１４は、当て板１３の本体部１３０の屋外側の面の上下方向の中央部（つまり、本体部１３０の屋外側の面のうち、上折り返し片１３１と下折り返し片１３２の間の部分）に接着されて用いられる。シール部材１４は、例えば、エチレンプロピレンジエンゴム（ＥＰＤＭ）製である。
【００３６】
続いて、パネルユニット３の製造方法の一例について詳しく説明する。
【００３７】
パネルユニット３は、自身の厚み方向が上下方向に対して平行となる倒伏姿勢で製造される。以下では、倒伏姿勢の向きを基準にして説明する。倒伏姿勢のパネルユニット３では、第一金属外皮６が第二金属外皮７よりも下方に位置し、３枚の断熱パネル２が、前後方向に並んで位置する。以下では、３枚の断熱パネル２を、起立姿勢において上側に位置するものから順に、第一パネルＰ１、第二パネルＰ２、第三パネルＰ３として、説明する。
【００３８】
まず、第三パネルＰ３を倒伏姿勢で配置し、第三パネルＰ３の前方に、第二パネルＰ２を倒伏姿勢で配置する。第二パネルＰ２は、第二パネルＰ２の第一下片部６２が、第三パネルＰ３の第一上片部６１に当たる（面接触する）ように配置する（つまりパネルＰ２，Ｐ３の隣接する端部同士を突き合わせる）。このとき、第三パネルＰ３の第二上片部７１と第二パネルＰ２の第二下片部７２との間には隙間９が形成される。
【００３９】
次いで、第二パネルＰ２の前方に、第一パネルＰ１を倒伏姿勢で配置する。第一パネルＰ１は、第一パネルＰ１の第一下片部６２が、第二パネルＰ２の第一上片部６１に当たる（面接触する）ように配置する（つまりパネルＰ１，Ｐ２の隣接する端部同士を突き合わせる）。このとき、第二パネルＰ２の第二上片部７１と第一パネルＰ１の第二下片部７２との間には隙間９が形成される。
【００４０】
次いで、第三パネルＰ３の第二本体部７０の上面の前端部と、第二パネルＰ２の第二本体部７０の上面の後端部に亘るように、シール部材１４付きの当て板１３を配置する。
【００４１】
次いで、当て板１３の後端部（本体部１３０と下折り返し片１３２とが重なった部分）に、上方から固定具１５をねじ込んで、当て板１３の後端部を、第三パネルＰ３の第二本体部７０に固定する。このとき、固定具１５は、断熱材８内までねじ込まれる。
【００４２】
次いで、当て板１３の前端部（本体部１３０と上折り返し片１３１とが重なった部分）に、上方から固定具１５をねじ込んで、当て板１３の前端部を、第二パネルＰ２の第二本体部７０に固定する。このとき、固定具１５は、断熱材８内までねじ込まれる。これにより、パネルＰ２，Ｐ３が当て板１３を介して一体に連結される。
【００４３】
パネルＰ２，Ｐ３が連結された状態では、シール部材１４は、当て板１３の本体部１３０とパネルＰ２，Ｐ３の第二本体部７０のそれぞれに対して密着し、隙間９はシール部材１４と当て板１３によって塞がれる。パネルＰ２，Ｐ３の第一本体部６０の下面同士は、互いに略面一となり、パネルＰ２，Ｐ３の第二本体部７０の上面同士は、互いに略面一となる。
【００４４】
次いで、上述したパネルＰ２，Ｐ３の連結と同様の方法で、パネルＰ１，Ｐ２が連結される。なお、パネルＰ１，Ｐ２の連結の方法についての説明は省略する。
【００４５】
パネルＰ１，Ｐ２が連結された状態では、シール部材１４は、当て板１３の本体部１３０とパネルＰ１，Ｐ２の第二本体部７０のそれぞれに対して密着し、隙間９はシール部材１４と当て板１３によって塞がれる。パネルＰ１，Ｐ２の第一本体部６０の下面同士は、互いに略面一となり、パネルＰ１，Ｐ２の第二本体部７０の上面同士は、互いに略面一となる。
【００４６】
上述のようにパネルＰ１，Ｐ２，Ｐ３が当て板１３を介して一体に連結されることで、図１に示すパネルユニット３が製造される。
【００４７】
以上説明した本実施形態のパネルユニット３は、上下に並ぶ複数の断熱パネル２のそれぞれが、金属外皮６，７とその間に位置する断熱材８を有するサンドイッチパネルであるため、湿気が通過しにくい。そのため、本実施形態のパネルユニット３は、カーテンウォール１の屋内側部分を構成するパネルとして用いたときに、カーテンウォール１の屋外側部分を構成するパネルに結露が生じにくい。
【００４８】
また、本実施形態のパネルユニット３は、複数の断熱パネル２の隣接する端部同士を突き合わせたときに、いずれの突合せ箇所にも屋外側に向けて開口する隙間が形成されず、突合せ箇所ごとに形成される目地の上下幅が互いに同じとなるため、外観が一様であり、見栄えがよい。そのため、本実施形態のパネルユニット３は、上下幅が互いに同じで意匠性の高い目地を有するパネルとなっている。
【００４９】
なお仮に、上下に隣接する２つの断熱パネル２を、上側の断熱パネル２の第一下片部６２と下側の断熱パネル２の第一上片部６１とが当たり、かつ上側の断熱パネル２の第二下片部７２と下側の断熱パネル２の第二上片部７１とが当たるように設ける場合、金属外皮６，７の製造誤差、金属外皮６，７の断熱材８に対する貼り付け位置のズレ等によって、断熱パネル２同士の突合せ箇所に、屋外側に向けて開口する隙間が形成されやすく、突合せ箇所ごとに形成される目地の上下幅が互いに異なって外観が不均一となり、見栄えが悪くなりやすい。
【００５０】
また、本実施形態のパネルユニット３では、複数の断熱パネル２の隣接する端部同士を突き合わせるだけで、突合せ箇所ごとに形成される目地の上下幅を互いに同じとすることができるため、各目地の上下幅を合わせるための施工を別途行う必要がなく、組み立てが容易である。
【００５１】
また、本実施形態のパネルユニット３では、屋内側に向けて開口する隙間９が当て板１３で塞がれるため、断熱パネル２同士の突合せ部分の断熱性の低下を抑えることができる。
【００５２】
また、本実施形態のパネルユニット３では、当て板１３が上下の断熱パネル２を連結するため、上側の断熱パネル２の第一下片部６２と下側の断熱パネル２の第一上片部６１との間に隙間が形成されない形態を維持しやすい。
【００５３】
また、本実施形態のパネルユニット３は、複数の断熱パネル２の組み合わせで構成されるため、１枚の断熱パネル２の製造最大寸法よりも大きい寸法で製造可能であり、様々なサイズのカーテンウォール１に対応することができる。
【００５４】
（カーテンウォール）
続いて、上述したパネルユニット３を備えたカーテンウォール１について詳しく説明する。
【００５５】
図３及び図４に示すように、カーテンウォール１は、パネルユニット３と、パネルユニット３の屋外側に位置する化粧パネル４と、パネルユニット３と化粧パネル４を保持する枠５とを備える。
【００５６】
カーテンウォール１は、全体の形状が上下に長い略矩形板状の壁材である（図５Ａ，Ｂ参照）。カーテンウォール１の上下長さは、建物の階高（取付先の階の床面からその上の階の床面までの高さ）と略同じ長さである。化粧パネル４は、透明なガラス板である。枠５は、例えば、アルミニウム製である。
【００５７】
枠５は、左右一対の縦枠部材（方立）５２と、上下一対の横枠部材（無目）５３を備える。左右一対の縦枠部材５２と上下一対の横枠部材５３とは、略矩形枠状をなすように一体に設けられている。
【００５８】
枠５はさらに、各縦枠部材５２に取り付けられる左右一対の縦ガイド枠５４と、各横枠部材５３に取り付けられる上下一対の横ガイド枠５５を備える。
【００５９】
各縦ガイド枠５４は、パネルユニット３を保持する部分であり、各縦枠部材５２の枠内側を向く面の屋内側の部分にねじ等の固定具で取り付けられる。各縦ガイド枠５４は、上下方向に長い半角筒状（平断面コ字状）の部材である。各縦ガイド枠５４は、縦枠部材５２に固定される底壁５４０と、底壁５４０の屋外側の端部と屋内側の端部のそれぞれから略垂直に突出した支持壁５４１を有する。
【００６０】
各横ガイド枠５５は、パネルユニット３を保持する部分であり、各横枠部材５３の枠内側を向く面の屋内側の部分に取り付けられる。各横ガイド枠５５は、左右方向に長い半角筒状（平断面コ字状）の部材である。各横ガイド枠５５は、横枠部材５３に固定される底壁５５０と、底壁５５０の屋外側の端部と屋内側の端部のそれぞれから略垂直に突出した支持壁５５１を有する。
【００６１】
化粧パネル４の周縁部は、ガスケット４０を介して枠５の屋外側の部分に保持され、パネルユニット３の周縁部は、左右一対の縦ガイド枠５４と上下一対の横ガイド枠５５を介して枠５の屋内側の部分に保持される。パネルユニット３の左右の端部は、各縦ガイド枠５４の底壁５４０との間に隙間が形成されるように、各縦ガイド枠５４の一対の支持壁５４１によって挟まれて保持される。パネルユニット３の上下の端部は、各横ガイド枠５５の底壁５５０との間に隙間が形成されるように、各横ガイド枠５５の一対の支持壁５５１によって挟まれて保持される。これにより、パネルユニット３は、地震などにより層間変位が生じた場合に揺動可能であり、破損が生じにくい。
【００６２】
続いて、カーテンウォール１の取付構造の一例について説明する。
【００６３】
カーテンウォール１の左右一対の縦枠部材５２のそれぞれの上端部には、ボルトなどの固定具で取付金具１６が固定される。建物の躯体１０（本実施形態では梁）には、ボルトなどの固定具で側面視Ｌ字状の取付金具１７が固定される。カーテンウォール１に固定された取付金具１６は、躯体１０に固定された取付金具１７に対して引っ掛けられた状態で、取付金具１７に対してボルトなどの固定具１８で固定される。これにより、カーテンウォール１は、躯体１０に対して取り付けられる。取付金具１６，１７のそれぞれは、例えば、鋼製である。
【００６４】
以上説明した本実施形態のカーテンウォール１は、化粧パネル４の屋内側に配されるパネルとして、金属製の外皮で芯材を挟んだサンドイッチパネルからなるパネルユニット３を用いている。そのため、本実施形態のカーテンウォール１では、屋内側のパネルを湿気が通過しにくく、化粧パネル４に、結露が生じにくい。
【００６５】
また、本実施形態のカーテンウォール１は、化粧パネル４を通じて視えるパネルユニット３の外観が一様であるため、見栄えがよい。
【００６６】
また、本実施形態のカーテンウォール１では、パネルユニット３を構成する複数の断熱パネル２同士の突合せ部分に形成される隙間９が当て板１３で塞がれるため、この隙間９を通じて雨水等が断熱パネル２の内部に浸入することを防止することができる。
【００６７】
続いて、図５Ａ，Ｂに示す本実施形態のカーテンウォール１を備えた建物１００の一例について説明する。
【００６８】
建物１００は、本実施形態のカーテンウォール１の他に、ガラスカーテンウォール１０１を備える。ガラスカーテンウォール１０１は、カーテンウォール１と類似の構造であり、パネルユニット３の代わりにガラスパネルを備える。なお、カーテンウォール１とガラスカーテンウォール１０１のそれぞれは、図５Ａ，Ｂに示すように、上下方向の一部に換気口１０２を有してもよい。
【００６９】
カーテンウォール１とガラスカーテンウォール１０１のそれぞれは、建物１００の躯体１０に対して、例えば、図３，４に示す取付金具１６，１７を介して固定される。
【００７０】
建物１００では、複数のカーテンウォール１と複数のガラスカーテンウォール１０１とが、用途に合わせて縦横に並ぶように設置されている。各ガラスカーテンウォール１０１は、窓部分を構成する外壁として用いられ、各カーテンウォール１は、例えばトイレ室等の窓の不要な区画の外壁として用いられる。
【００７１】
（変更例）
続いて、上述した実施形態１のパネルユニット３及びカーテンウォール１の変更例について説明する。
【００７２】
パネルユニット３は、上下に並んだ２枚、または４枚以上の断熱パネル２を備えてもよい。
【００７３】
パネルユニット３を構成する複数の断熱パネル２のうち、一番上の断熱パネル２では、第一上片部６１と第二上片部７１の上下位置が互いに同じであってもよいし、第二上片部７１が第一上片部６１よりも上方に位置してもよい。また、一番下の断熱パネル２では、第一下片部６２と第二下片部７２の上下位置が互いに同じであってもよいし、第二下片部７２が第一下片部６２よりも下方に位置してもよい。
【００７４】
各断熱パネル２は、第一側片部６３と第二側片部７３の左右位置が、互いに異なってもよい。
【００７５】
断熱材８は、ウレタンフォームやフェノールフォームなどの樹脂発泡材料で形成された板状の部材であってもよい。
【００７６】
パネルユニット３は、当て板１３を備えなくてもよく、その他の方法で、上側の断熱パネル２の第一下片部６２と下側の断熱パネル２の第一上片部６１とが当たる状態を維持してもよい。
【００７７】
パネルユニット３は、複数の隙間９の全てが１つの当て板１３によって覆われるように構成されてもよい。
【００７８】
化粧パネル４は、半透明または不透明なガラス板であってもよいし、ガラス板に限らず、樹脂製のパネル、金属製のパネル、コンクリートパネル等であってもよい。化粧パネル４として用いるパネルの素材及び形状は、建物のデザイン等を基準に、適宜選択可能である。
【００７９】
カーテンウォール１の上下長さは、階高よりも短くてもよい。
【００８０】
パネルユニット３は、カーテンウォール１の屋内側部分を構成するパネルとしての利用に限らず、その他の断熱性を要するパネルとして利用してもよい。例えば、パネルユニット３は、内装用パネルとして利用してもよい。
【００８１】
（効果）
本発明に係る第一の態様のパネルユニット３は、上述した実施形態１のパネルユニット３のように、下記の第一の構成を備えることを特徴とする。
【００８２】
すなわち、第一の態様のパネルユニット３は、上下に並んだ複数の断熱パネル２を備える。
【００８３】
複数の断熱パネル２のそれぞれは、第一金属外皮６と、第一金属外皮６よりも屋内側に位置する第二金属外皮７と、第一金属外皮６と第二金属外皮７の間に位置する断熱材８とを有するサンドイッチパネルである。
【００８４】
第一金属外皮６は、断熱材８の屋外側の面に取り付けられる第一本体部６０と、第一本体部６０の上縁から屋内側に延びる第一上片部６１と、第一本体部６０の下縁から屋内側に延びる第一下片部６２と、を有する。
【００８５】
第二金属外皮７は、断熱材８の屋内側の面に取り付けられる第二本体部７０と、第二本体部７０の上縁から屋外側に延びる第二上片部７１と、第二本体部７０の下縁から屋外側に延びる第二下片部７２とを有する。
【００８６】
複数の断熱パネル２のうち、上下に隣接する２つの断熱パネル２は、上側の断熱パネル２の第一下片部６２と、下側の断熱パネル２の第一上片部６１とが当たった状態で、上側の断熱パネル２の第二下片部７２と、下側の断熱パネル２の第二上片部７１との間に隙間９が形成されるように構成されている。
【００８７】
上記の第一の構成のように、第一の態様のパネルユニット３では、上下に並ぶ複数の断熱パネル２のそれぞれが、金属外皮６，７とその間に位置する断熱材８とを有するサンドイッチパネルである。そのため、第一の態様のパネルユニット３では、例えばカーテンウォール１の屋内側部分を構成するパネルとして用いたときに、湿気が通過しにくくて、カーテンウォール１の屋外側部分を構成するパネル（化粧パネル４）に結露が生じにくい。
【００８８】
また、第一の態様のパネルユニット３では、複数の断熱パネル２の隣接する端部同士を突き合わせた状態で、いずれの突合せ箇所にも屋外側に向けて開口する隙間が形成されず、一様な外観に製造しやすい。
【００８９】
また、本発明に係る第二の態様のパネルユニット３では、上述した実施形態１のパネルユニット３のように、上記の第一の構成に加えて、下記の第二の構成を備えることを特徴とする。
【００９０】
すなわち、第二の態様のパネルユニット３では、上側の断熱パネル２の第二本体部７０と、下側の断熱パネル２の第二本体部７０とに亘るように取り付けられる当て板１３をさらに備え、当て板１３は、隙間９を塞ぐ。
【００９１】
上記の第二の構成を備えることで、第二の態様のパネルユニット３では、上側の断熱パネル２の第二下片部７２と下側の断熱パネル２の第二上片部７１との間に形成される隙間９を、当て板１３によって塞ぐことで、断熱性の低下を抑えることができる。
【００９２】
また、本発明に係る第一の態様のカーテンウォール１は、上述した実施形態１のカーテンウォール１のように、下記の第三の構成を備えることを特徴とする。
【００９３】
すなわち、第一の態様のカーテンウォール１は、第一または第二の態様のパネルユニット３と、パネルユニット３の屋外側に位置する化粧パネル４と、パネルユニット３と化粧パネル４を保持する枠５とを備える。
【００９４】
上記の第三の構成を備えることで、第一の態様のカーテンウォール１では、カーテンウォール１の屋内側部分を構成するパネルユニット３を、湿気が通過しにくくて、カーテンウォール１の屋外側部分を構成する化粧パネル４に結露が生じにくい。
【００９５】
また、第一の態様のカーテンウォール１では、化粧パネル４としてガラス板等の透明なパネルを用いた場合に、化粧パネル４を通じて視えるパネルユニット３の外観が一様であるため、見栄えがよい。
【００９６】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００９７】
１      カーテンウォール
２      断熱パネル
３      パネルユニット
４      化粧パネル
５      枠
６      第一金属外皮
６０    第一本体部
６１    第一上片部
６２    第一下片部
７      第二金属外皮
７０    第二本体部
７１    第二上片部
７２    第二下片部
８      断熱材
９      隙間
１３    当て板
【図１】
2018087425.tif 000003
【図２】
2018087425.tif 000004
【図３】
2018087425.tif 000005
【図４】
2018087425.tif 000006
【図５】
2018087425.tif 000007